(57)【特許請求の範囲】
【請求項１】
ケース内に高周波回路と高周波回路以外の回路とを組付けた基板を導波管の電波導入方向に対して直交配置し、前記基板には電波の通路に電波取入口を形成し、一方の面をアース面、他方の面を回路形成面とし、電波取入口を基板中央又はその近辺に配置すると共に前記高周波回路を前記電波取入口を囲むように配設し、更にその各高周波回路に電源を供給する電源供給ラインを電波取入口を中心にして前記高周波回路の外側に配置して成ることを特徴とするマイクロ波用コンバータ。
【発明の詳細な説明】
【０００１】
【発明の属する技術分野】
本発明はマイクロ波を受信し周波数変換し増幅し、出力するマイクロ波用コンバータに属する。特に１枚の基板上に電波の取入口と高周波回路及び電源回路等の高周波回路以外の回路とを設けたマイクロ波用コンバータに属する。
【０００２】
【従来の技術】
従来、基板上に形成された電波の取入口に高周波回路をＲＦ増幅部，フィルタ部，ミキサ部，局部発信部，ＩＦ増幅部などの順に順次直列に配置、接続されるとともにその隣接した位置に電源回路等の高周波回路以外の回路を配置した構造のものがあった。
【０００３】
【発明が解決しようとする課題】
しかし、マイクロ波用コンバータの場合、取り扱う周波数が高い上に微弱な信号が伝送されるため、上述した回路配置とした場合、電波の取入口から離れるに従い、高周波回路のアースの電位に差を生じることにより高周波回路のアースが不安定になったり、高周波回路と直流回路やアース配線とが交差する場合が発生し、ＮＦが悪化したり発振しやすくなる等、特性が劣化する原因となっていた。また、このような点を考慮したイアウトが考えられているが、アース等の配線の複雑さは解消されず、特性を改善し得るものではなかった。
特に、電波取入口はその位置やアースの配置，形状によって特性が大きく変化するもので、良好でしかも安定した特性を有するマイクロ波用コンバータを得ることは基板設計において常に難しいものであった。
この点に鑑み、本発明は回路の配置やアースの配置、形状等に苦心する事無く良好な特性を得ることができるマイクロ波用コンバータを提供するものである。
【０００４】
【課題を解決するための手段】
上記課題を解決するために、本発明によるマイクロ波用コンバータは、ケース内に高周波回路と高周波回路以外の回路とを組付けた基板を導波管の電波導入方向に対して直交配置し、前記基板には電波の通路に電波取入口を形成し、一方の面をアース面、他方の面を回路形成面とし、電波取入口を基板中央又はその近辺に配置すると共に前記高周波回路を前記電波取入口を囲むように配設し、更にその各高周波回路に電源を供給する電源供給ラインを電波取入口を中心にして前記高周波回路の外側に配置して構成される。
【０００５】
【発明の実施の形態】
本発明を具体化した一実施形態を図面に基づいて説明する。
図１は本発明のマイクロ波用コンバータの基板の正面説明図で、各回路ブロックの配置と電波取入口の配置を示している。この図に於て、４は電波取入口で基板中央に配置され、５，６は導波管内に導入された電波を取り入れるためのプローブであり、７ａは導体棒７の挿通口である。この導体棒７は受信特性を良好にするために、導波管の短絡壁から突設され基板１の電波取入口４を貫通する長さを有し、そのため基板上の電波取入口４中央には、この導体棒７を挿通するための挿通口７ａが設けられている。
【０００６】
そして、高周波回路であるＲＦ増幅部１２，フィルタ部１３，ミキサー部１４，局部発振部１５，ＩＦ増幅部１６がその近接する周囲に配置され、それ以外の電源回路１１と各回路への電源供給ライン１１ａがその外側に、高周波部を取り囲むように配置され、裏面は電波取入口４以外を銅箔で覆いアースとしてある。また、１７は信号を送出するための信号送出部であり、１９は電力分離フィルタ部である。
【０００７】
図２は図１の基板１をケースに取り付け、導波管と基板の関係を示す略断面図である。この図において基板１は、導波管８を有する箱体２と導体棒７を有する蓋体３からなるケース内に導波管８に垂直になるよう取り付けられ、８ａは蓋体側導波管、１８は短絡壁であり、１０はホーンである。
また、導波管８は円形導波管で、電波取入口４の外周は対応する導波管８と同径の円形形状であり、基板１取付により電波取入口４の外周は導波管８，８ａと密着し、電気的に導通するようになっている。
尚、プローブ５，６は夫々水平偏波，垂直偏波に対応するよう配設されていが、電波取入口は電波導入位置の形状に合せ円形でなくともよく、受信するプローブは受信するマイクロ波に合せ１本であってもよい。
【０００８】
図３は、図２の構成の詳細を示した分解斜視図である。図３に於て、基板１は中央位置に電波取入口４の外周部が銅箔アース部２０ａにより形成され、このアース部２０ａは後述する蓋体３′の導波管８ａと密着するようになっている。また、導波管内に導入された電波を取り入れるためのプローブ５，６が銅箔パターンで形成されている。なお４ａは電波取入口４を形成する銅箔を剥離した部分である。
基板１の裏面は電波の取入口４を除くほぼ全面に銅箔を設けアースとし、回路形成面のアース部とは適宜スルーホール等で連結されている。図４は基板１のアース面の斜視図であり、４ｂは電波取入口４の裏面で銅箔を剥離した部分である。また、２０はアース部、２１は取付ねじ挿通孔でもあるスルーホールであり、２２はジャンパー線である。このジャンパー線２２の反対面が信号送出部となっている。
【０００９】
箱体２には、基板１の電波の取入口４と一致し、基板１と垂直に交差する導波管８が形成され、その先にホーン１０を有している。また、側面にはコンバータにより変換された信号を同軸ケーブルに送出するためのコネクタ９が形成され、コネクタ９の中心導体の箱体２内側には基板１の接続部１ａとの連結部を有し、基板１取付時に信号送出部１７と接続される構成となっている。
【００１０】
また、３′はシールド用蓋体であり、基板１上の高周波部をシールドするもので、ネジ等で基板高周波部を密閉し外部から電波が侵入、あるいは外に漏れないようにするためのものである。尚、使用する際に、ケースはさらに風雨から内部を保護するために合成樹脂等で成形されたキャップ（図示せず）を箱体２，蓋体３′を覆う形で箱体２の枠部全体にはめ込み密閉させて構成される。
【００１１】
さらに、このシールド用蓋体３′は、図２において示しているように内側に円形導波管８の電波導入位置で基板１により分断された導波管８ａと短絡壁１８を有し、短絡壁１８中央には導波管の軸線方向に伸びる導体棒７を形成してある。尚、基板１の材質は高周波特性の良いものであればよく、例えばフッソ樹脂製のものを用いればよい。また、箱体２とシールド用蓋体３′は導電性の良い金属製であり、例えばステンレス等の金属板をプレス成形したものであっても良いが、アルミのダイキャストであれば、導波管８，ホーン１０等と一体成形することができ良い。
【００１２】
このように、電波取入口４を中央に配置し、その近接するアースの電位が均一である周囲に高周波回路１２〜１６を配置し、更にその周囲に電源１１を始めとするその他の回路というように配置することで、高周波特性を劣化させる事無く各回路を無理なく配線し接続することができる。例えば高周波回路１２〜１６と電源１１の接続は、電源の供給ライン１１ａを基板周囲に張り巡らすことで、いずれの場所でも容易に接続することができる。
【００１３】
従って、裏面のアース部２０は、表面の回路配置が基板中央の電波取入口４を中心にその近接する周囲に高周波回路、更にその外周に電源回路等の高周波回路以外の回路を配置しているため、ほぼ全面を一様なアース面とするだけで中央付近のアースバランスが良好となり、微弱な信号を扱うため最もアースバランスを必要とする電波取入口４をこの位置に配置することで、アースの配置，形状に腐心する事無く、高周波回路は良好な特性を示し安定した動作をする。
【００１４】
尚、この実施形態においては、導波管の電波導入方向に基板のアース面を向け、導波管の短絡面側を回路形成面としたが、裏返して電波導入方向が回路形成面であってもよい。また、シールド用蓋体３は箱体２全体を覆う形状とし、風雨から回路を保護する蓋体と兼用としても良い。
【００１５】
【発明の効果】
以上詳述したように、本発明によれば基板のほぼ中央に電波取入口を配置しその周囲に高周波回路、更にその外側にその電源供給ラインを配置したので、回路の各ブロックの配置やアースの配置，形状に苦心することなく、損失が少なく良好な特性を有するという優れた効果を奏することができる。
【図面の簡単な説明】
【図１】本発明に係るマイクロ波用コンバータの１実施形態の基板の各回路部の配置を示す正面説明図である。
【図２】図１の基板をケースに取り付け、基板と導波管の関係を示す略断面図である。
【図３】図２の構成を具体化し細部を示した分解斜視図である。
【図４】図３に示す基板のアース面側の斜視図である。
【符号の説明】
１・・基板、２・・箱体、３，３′・・蓋体、４・・電波取入口、８，８ａ・・導波管、１１・・電源回路部、１２・・ＲＦ増幅部、１３・・フィルタ部、１４・・ミキサー部、１５・・局部発振部、１６・・ＩＦ増幅部、２０・・アース部
【図１】
0003628800.tif 000002
【図２】
0003628800.tif 000003
【図３】
0003628800.tif 000004
【図４】
0003628800.tif 000005